(57)【要約】【課題】患者に対して咬合測定用感圧センサシートを三次元的に位置決めできる咬合測定用感圧センサシートの位置決め装置を提供すること。【解決手段】アダプター２を介してコネクタ１に装填された咬合測定用感圧センサシート３を、患者に対して三次元的に位置決めする装置であって、上顎中切歯唇面ｍの基準となる切歯ガイド４をアダプターの幅方向中央部に配置させ、前記切歯ガイド４に対して前後動可能な一対の耳入桿７を設け、患者の上顎中切歯唇面ｍを切歯ガイド４に接触させると共に、患者の左右外耳道ｍ１に左右の耳入桿７を挿入させるようにして患者に対して上記センサシート３を位置決めするものとしている。【選択図】　図１
2004117263.tif 000002
【特許請求の範囲】
【請求項１】
アダプターを介してコネクタに装填された咬合測定用感圧センサシートを、患者に対して三次元的に位置決めする装置であって、上顎中切歯唇面の基準となる切歯ガイドをアダプターの幅方向中央部に配置させ、前記切歯ガイドに対して前後動可能な一対の耳入桿を設け、患者の上顎中切歯唇面を切歯ガイドに接触させると共に、患者の左右外耳道に左右の耳入桿を挿入させるようにして患者に対して上記センサシートを位置決めすることを特徴とする咬合測定用感圧センサシートの位置決め装置。
【請求項２】
耳入桿はコネクタに対して前後動可能に設けられた左右のアーム端に取り付けられており、前記耳入桿はアームに対して内外方向に移動可能であることを特徴とする請求項１記載の咬合測定用感圧センサシートの位置決め装置。
【請求項３】
耳入桿はコネクタに取り付けられた左右の伸縮アームの端部に取り付けられており、前記耳入桿はアームに対して内外方向に移動可能であることを特徴とする請求項１記載の咬合測定用感圧センサシートの位置決め装置。
【発明の詳細な説明】
【０００１】
【発明の属する技術分野】
この発明は、患者（被験者）に対して咬合測定用感圧センサシートを三次元的に位置決めする装置に関するものである。
【０００２】
【従来の技術】
咬合測定用感圧センサシートにより咬合状態を測定するには、上下の歯の接点を測定する必要があるため、咬合測定用感圧センサシートのセンサ領域を上下の歯で噛まなければならないが、従来は上顎切歯をアダプターに形成された中央位置指示部に対向させるようにして位置決めし、その作業を行っていた（例えば、特許文献１参照。）。
【０００３】
【特許文献１】
実公平６−３６８１４号公報（図４）
【０００４】
【発明が解決しようとする課題】
しかしながら、上記の如く中央位置指示部のみを基準とする方法では、患者に対して咬合測定用感圧センサシートを三次元的に位置決めすることができず、咬合測定用感圧センサシートを上下歯で咬む位置がほぼ同じ位置にならないという問題があった。
【０００５】
そこで、この発明では、患者に対して咬合測定用感圧センサシートを三次元的に位置決めできる咬合測定用感圧センサシートの位置決め装置を提供することを課題とする。
【０００６】
【課題を解決するための手段】
（請求項１記載の発明）
この発明の咬合測定用感圧センサシートの位置決め装置は、アダプターを介してコネクタに装填された咬合測定用感圧センサシートを、患者に対して三次元的に位置決めする装置であって、上顎中切歯唇面の基準となる切歯ガイドをアダプターの幅方向中央部に配置させ、前記切歯ガイドに対して前後動可能な一対の耳入桿を設け、患者の上顎中切歯唇面を切歯ガイドに接触させると共に、患者の左右外耳道に左右の耳入桿を挿入させるようにして患者に対して上記センサシートを位置決めするものとしている。
（請求項２記載の発明）
この発明の咬合測定用感圧センサシートの位置決め装置は、上記請求項１記載の発明に関し、耳入桿はコネクタに対して前後動可能に設けられた左右のアーム端に取り付けられており、前記耳入桿はアームに対して内外方向に移動可能である。
（請求項３記載の発明）
この発明の咬合測定用感圧センサシートの位置決め装置は、上記請求項１記載の発明に関し、耳入桿はコネクタに取り付けられた左右の伸縮アームの端部に取り付けられており、前記耳入桿はアームに対して内外方向に移動可能である。
【０００７】
この発明の咬合測定用感圧センサシートの位置決め装置における作用・効果については、発明の実施の形態の欄で明らかにする。
【０００８】
【発明の実施の形態】
この発明の実施形態の咬合測定用感圧センサシートを図面に従って説明する。〔実施形態１〕
図１はこの発明の実施形態の咬合測定用感圧センサシートの位置決め装置Ｓの斜視図、図２は前記位置決め装置Ｓの正面図。
（咬合測定用感圧センサシートの位置決め装置Ｓの基本構成について）
この咬合測定用感圧センサシートの位置決め装置Ｓは、図１や図４に示すように、アダプター２を介してコネクタ１に装填された咬合測定用感圧センサシート３（以下、センサシート３という）を、患者Ｐに対して三次元的に位置決めするものであり、切歯ガイド４、基体５と、アーム６と、耳入桿７，７とを具備するものとしている。
（コネクタ１、アダプター２及びセンサシート３について）
アダプター２は、コネクタ１に対して着脱自在であり、アダプター２のコネクタ１への装着状態においては、図２に示すように、コネクタ１の前後方向のセンターラインＣＬ１とアダプター２のセンターラインＣＬ２とは一致するようになっている。
【０００９】
また、アダプター２は、図１や図２に示すように、両腕２０，２０の基端部側内面をこれと対応する位置のセンサシート３の外周ラインと適合させてあり、センサシート３がアダプター２を介してコネクタ１に装填された状態においては、図２に示すように、上記センターラインＣＬ１，ＣＬ２と、センサシート３のセンターラインＣＬ３とは一致するようになっている。
【００１０】
なお、アダプター２には、図２に示すように切歯ガイド４の中央部分に後述する中央位置支持突起４０が形成されており、前記中央位置支持突起４０の中央はセンターラインＣＬ１，ＣＬ２と，ＣＬ３と一致している。
（切歯ガイド４について）
切歯ガイド４は、上顎中切歯唇面ｍの位置の基準となるものであり、図１や図２に示すように、アダプター２の幅方向中央部に形成された中央位置指示突起４０と、前記中央位置支持突起４０を覆うべくアダプター２にネジ止めされた透明板４１とから構成されている。ここで、上記センサシート３を三次元的に位置決めする場合には、図４や図５に示すように、患者Ｐの上顎中切歯Ｔ，Ｔ相互間位置を中央位置支持突起４０と対向させ、上顎中切歯唇面ｍを切歯ガイド４の透明板４１に接触させるようにして位置決めする（第１位置決め部）。
（基体５について）
基体５は、図１〜図３に示すように、枠体５Ａと、前記枠体５内を貫通し且つコネクタ１を保持する保持部材５Ｂと、前記枠体５Ａに対して保持部材５Ｂを前後方向に移動可能に取り付けるスライド機構５Ｃとから構成されている。
（アーム６について）
アーム６は、図１や図３に示すように、枠体５Ａの上部に揺動自在に取り付けられた略コ字状（Ｕ字状でもよい）のものであり、調整用ボルト６０のねじ込みにより所定の角度で固定できるようになっている。ここで、このアーム６の枠体５Ａへの取り付け状態においては、図１や図３に示すように左右に延びた後、それぞれ後方に９０°方向に折れ曲がる形態を採っている。
（耳入桿７について）
耳入桿７は、内端部を合成樹脂で構成してあり、図１〜図３に示すように、左右のアーム端に内外方向に移動可能に取り付けられていると共に、ボルト７０のねじ込みにより所定の位置で固定できるようになっている。また、この耳入桿７はその外周面に目盛りを付してあり、この目盛りを記憶又は記録しておくことにより耳入桿７の内側への送り込み量が再現できるようになっている。ここで、上記センサシート３を三次元的に位置決めする場合には、図４や図５に示すように、患者Ｐの左右外耳道ｍ１，ｍ１に左右の耳入桿７を挿入させるようにして位置決めする（第２、第３位置決め部）。
（切歯ガイド４と耳入桿７との関係について）
上述した内容から、耳入桿７，７は切歯ガイド４に対して前後方向に移動可能であるから、耳入桿７，７は切歯ガイド４に対して接近・離反が可能である。また、耳入桿７，７が取り付けられているアーム６は枠体５Ａの上部に揺動自在に取り付けられているから、耳入桿７，７は切歯ガイド４に対して上下動が可能である。
（患者Ｐに対してセンサシート３を三次元的に位置決めする場合について）
上記センサシートの位置決め装置Ｓによりセンサシート３を三次元的に位置決めする場合には、以下の▲１▼〜▲５▼の順序で行う。
▲１▼．図４や図５に示すように、患者Ｐの上顎中切歯Ｔ，Ｔ相互間位置を中央位置支持突起４０と対向させ、上顎中切歯唇面ｍを切歯ガイド４の透明板４１に接触させる。この状態においてセンサシート３を咬む。
▲２▼．▲１▼の状態を維持しながら、耳入桿７，７を切歯ガイド４に対して前後方向及び上下方向に移動させて左右外耳道ｍ１，ｍ１に対向させ、耳入桿７，７の内端を左右外耳道ｍ１，ｍ１に挿入する。
▲３▼．▲２▼の状態を維持しながら、ボルト７０をねじ込んで耳入桿７，７を固定し、耳入桿７，７の外周面に付した目盛り（データ）を記憶又は記録する。
▲４▼．次に、調整用ボルト６０をねじ込んでアーム６を固定する。
【００１１】
この状態では、患者Ｐに対してセンサシート３は、上顎中切歯唇面ｍ、左右の外耳道ｍ１，ｍ１の三点を基準にして三次元的に位置決めされている。
▲５▼．再度、患者Ｐに対してセンサシート３を位置決めする場合、上記と同じ要領で行えばよいが、この際、耳入桿７，７の外耳道ｍ１，ｍ１への挿入度合いは▲３▼において記憶又は記録したデータに従う。
【００１２】
したがって、患者Ｐに対してセンサシート３は、前回と同様に、上顎中切歯唇面ｍ、左右の外耳道ｍ１の三点を基準にして三次元的に位置決めされることになり、同じ患者Ｐである限り、咬合測定用感圧センサシートを咬む位置が同じ位置となる。
〔他の実施形態〕
▲１▼．上記実施形態１に限定されることなく、図６に示す構成を採用できる。
【００１３】
この咬合測定用感圧センサシートの位置決め装置Ｓでは、図６に示すように、耳入桿７，７を具備するアーム６をコネクタ１に揺動自在に取り付け、アーム６の左右部分が伸縮（伸縮部を符号６１で示す）するものとしてある。したがって、この場合においても切歯ガイド４に対して耳入桿７，７は前後方向に移動できることになり、上記実施形態１と同様の機能を発揮する。
【００１４】
なお、この実施形態において左右の耳入桿７，７が同期して移動するように、アーム６の左右先端部相互にパイプや棒体を架設するようにしてもよい。
【００１５】
他方、この実施形態の構成の場合、ア−ム６におけるコネクタ１への取り付け部分又はその近傍から切歯ガイド４を垂下させて図６に示した位置に配置させることができる。
▲２▼．上記実施形態では切歯ガイド４は、中央位置支持突起４０と透明板４１とから構成しているが、これに限定されることなく、切歯ガイド４はセンタ−ラインが形成された透明板４１のみであっても、中央位置支持突起４０の先端部を平面状に形成しその中央にセンタ−ラインが形成されたものであってもよい。
【００１６】
【発明の効果】
この発明は上記のような構成であるから次の効果を有する。
【００１７】
発明の実施の形態の欄に記載した内容から、患者に対して咬合測定用感圧センサシートを三次元的に位置決めできる咬合測定用感圧センサシートの位置決め装置を提供できた。
【図面の簡単な説明】
【図１】この発明の実施形態１の咬合測定用感圧センサシートの位置決め装置の斜視図。
【図２】前記咬合測定用感圧センサシートの位置決め装置の正面図。
【図３】前記咬合測定用感圧センサシートの位置決め装置からコネクタ、アダプター及びセンサシートを取り外した状態を示す斜視図。
【図４】前記咬合測定用感圧センサシートの位置決め装置を患者に取り付けた状態を示す側面図。
【図５】前記咬合測定用感圧センサシートの位置決め装置を患者に取り付けた状態を示す上面図。
【図６】この発明の他の実施形態の咬合測定用感圧センサシートの位置決め装置の斜視図。
【符号の説明】
Ｓ　　　咬合測定用感圧センサシートの位置決め装置
１　　　コネクタ
２　　　アダプター
３　　　咬合測定用感圧センサシート
４　　　切歯ガイド
５　　　基体
６　　　アーム
７　　　耳入桿
【図１】
2004117263.tif 000003
【図２】
2004117263.tif 000004
【図３】
2004117263.tif 000005
【図４】
2004117263.tif 000006
【図５】
2004117263.tif 000007
【図６】
2004117263.tif 000008